(57)【要約】      （修正有）【課題】ジャグリング遊具を使用してパフォーマンスを表現できるパフォーマンス遊動棒に新規なパフォーマンスを付加できるパフォーマンス遊動棒を提供する。【解決手段】パフォーマンス演出棒１とパフォーマンス遊動棒２からなるジャグリング遊具３を用意する。パフォーマンス遊動棒を中空管状体Ｍから作り、その両端部２ａ、２ｂに飾り房体４を取り付ける。そして中空管状体の両端面Ｍａ、Ｍｂを飾り房体の外方に僅かに突出させるとともに、その内部にパフォーマンス遊動棒の一端面Ｍａから中空管体に流入する空気流の抵抗となる抵抗部を設ける。【選択図】図１
0003199195.tif 000002
【実用新案登録請求の範囲】
【請求項１】
ジャグリング遊具（３）の演技者がパフォーマンスをするとき、パフォーマンス演出棒（１）を手に持って空中に遊動させるパフォーマンス遊動棒（２）を細長い中空管体（Ｍ）から構成するとともに、その両端面（Ｍａ、Ｍｂ）を、中空管体（Ｍ）の両端部（２ａ，２ｂ）に設けた飾り房体（４）より外方に突出させたことを特徴とするジャグリング遊具のパフォーマンス遊動棒。
【請求項２】
前記演技者が前記パフォーマンス遊動棒（２）を、パフォーマンス演出棒（１）を介して、回転させたとき、前記パフォーマンス遊動棒（Ｍａ）の一端面から前記中空管体（Ｍ）に流入する空気流の抵抗となる抵抗部（５）を、前記中空管体に設けたことを特徴とする請求項１記載のジャグリング遊具のパフォーマンス遊動棒。
【考案の詳細な説明】
【技術分野】
【０００１】  本考案は、ジャグリング遊具を構成するパフォーマンス遊動棒に関するものである。
【背景技術】
【０００２】  従来からジャグリング遊具を構成するパフォーマンス遊動棒は、実用新案登録第３１７９８４４号公報で公知である。【０００３】  この公知技術によると、それは、図４に示すように、ジャグリング遊具３を使用してパフォーマンスを演ずる演技者が、初めに、一対のパフォーマンス演出棒１ａ、１ｂを両手に持って、それらの先端に１本のパフォーマンス遊動棒２を載せることによりパフォーマンスを開始し、次いで、図５に示すように、１本のパフォーマンス演出棒１ａの先端部をパフォーマンス遊動棒２の一端部２ｂに載せ、最後に、図６に示すように、パフォーマンス遊動棒２を矢印Ｙの向きに回転させるという一種のパフォーマンスをする。【０００４】  このとき、パフォーマンス遊動棒２の両端部２ａ、２ａには飾り房体４が存在するので、パフォーマンス遊動棒２の一端部２ａは、パフォーマンス演出棒１ｂの先端部を回転中心として鎖線Ｌで示す軌跡を描いて回転し、その結果、前記一端部２ａにある飾り房体４はパフォーマンスを観る観客の視覚を刺激する。
【先行技術文献】
【特許文献】
【０００５】
【特許文献１】実用新案登録第３１７９８４４号公報
【考案の概要】
【考案が解決しようとする課題】
【０００６】  ところが、このパフォーマンスをしばらく続けていると、観客はその刺激に慣れ、さらに高揚した刺激を求める。そこで本考案者は、前記パフォーマンス演出棒とパフォーマンス遊動棒からなる公知のジャグリング遊具を使用して、さらに進化した刺激を惹き起こすパフォーマンスを実現できないか、鋭意、研究したところ、特定の構造のパフォーマンス遊動棒を使用するとともに、その遊動棒の両端部に取り付けられている飾り房体の位置を変更することにより、前記パフォーマンス時にパフォーマンス遊動棒に特定の音を発生させることができるという事実を見出し、本考案を完成した。【０００７】  従って、本考案の課題は、パフォーマンス演出棒とパフォーマンス遊動棒とからなるジャグリング遊具を使用して従来のパフォーマンスに新規なパフォーマンスを付加できるパフォーマンス遊動棒を提供することにある。
【課題を解決するための手段】
【０００８】  本考案は、前記の課題を解決するために、ジャグリング遊具の演技者がパフォーマンス演出棒を手に持って空中に遊動させるパフォーマンス遊動棒を細長い中空管体から構成するとともに、その両端面を中空管体の両端部に設けた飾り房体より外方に突出させるという手段を採用する。【０００９】  この手段を採用することにより、ジャグリング遊具の演技者が１本のパフォーマンス演出棒を手に持って、その先端部に中空管体からなるパフォーマンス遊動棒の一端部を載せるとともに、パフォーマンス演出棒を回転中心にしてパフォーマンス遊動棒の他端部を高速に回転させてパフォーマンスをすると、パフォーマンス遊動棒の先端面がパフォーマンス雰囲気の空気塊を相対的に引っ掻く。その結果、パフォーマンス遊動棒の先端面の一部分が円形の軌跡を描く過程で相対的に空気塊を二つに割るので、その過程でパフォーマンス遊動棒の先端が音を発生するという新規なパフォーマンスが生まれる。【００１０】  本考案では、さらにこのパフォーマンス効果を、パフォーマンス遊動棒の他端部を低速で回転させても確実に高揚させるために、前記演技者がパフォーマンス遊動棒を、パフォーマンス演出棒を介して、回転させたとき、前記パフォーマンス遊動棒の一端面からパフォーマンス遊動棒である中空管体に流入する空気流の抵抗となる抵抗部が前記中空管体に設けるという手段を採用する。その結果、前記中空管体内を流れる空気流に乱流が起こり、音の振幅波長が作り出す波形が前記抵抗部で跳ね返って二つの波形が共鳴し、パフォーマンス遊動棒の他端部を比較的低速に回転させても音が発生する。
【考案の効果】
【００１１】  本考案は、パフォーマンス演出棒とパフォーマンス遊動棒とからなるジャグリング遊具を使用して従来のパフォーマンスに新規なパフォーマンスを付加できるという優れた効果を発揮する。
【図面の簡単な説明】
【００１２】
【図１】は、本考案に係るジャグリング遊具の全体斜視図である。
【図２】は、パフォーマンス遊動棒を要部拡大して示す分破断側面図である。
【図３】は、パフォーマンス遊動棒を構成する管状体の部分破断側面図である。
【図４】は、従来技術に係るジャグリング遊具を使用して、演技者がパフォーマンスを開始しようとする第一段階の工程図を示す。
【図５】は、同様に第二段階の工程図を示す。
【図６】は、同様に第三段階の工程図を示す。
【考案を実施するための形態】
【００１３】  次に図面を参照しながら、本考案を実施するための最良の形態を詳述する。図１に示すように、本考案に係るジャグリング遊具３は、基本的に従来技術に係るそれと同様に、２本のパフォーマンス演出棒１（図１においては１本のパフォーマンス演出棒しか描かれてない。）と、１本のパフォーマンス遊動棒２とからなる。
【００１４】  そして、前記パフォーマンス遊動棒２の両端部２ａ、２ｂのそれぞれには、所定の範囲内にスライドする、又はスライドしないで固定された飾り房体４が取り付けられている。
【００１５】  しかしながら、本考案に係るパフォーマンス演出棒２は、金属、プラスチック、紙、木材又は竹材等を材質とする細長い中空管体Ｍから形成されているとともに、図２に示すように、前記中空管体Ｍの両端面Ｍａ（図２には一端部Ｍｂが描かれていない。）が前記飾り房体４より外方に僅かに突出している点において、従来技術のそれと明確に相異する。前記端面Ｍａが飾り房体４より僅かに外方に突出している程度は、演技者が本考案に係るジャグリング遊具３によるパフォーマンスしたときに生起する考案の効果に合わせて決定される。
【００１６】  本考案では、さらにこのパフォーマンス効果を、後述するようにパフォーマンス演出棒２を比較的低速で回転させた場合であっても、確実に高揚させるために、図３に示すように、前記パフォーマンス遊動棒２を構成する中空管状体Ｍの中にそれを通る空気流の乱流を作り出す抵抗部５が設けられている。
【００１７】  前記中空管状体Ｍの中に抵抗部５を形成する方法として、中空管状体Ｍと一体的に形成する方法及び別体的に形成する方法のいずれの方法も採用できる。前者の方法としては、例えば、前記中空管状体Ｍを竹材から制作するとともに、その内部に存在する竹の節部を利用して他の部分より縮径された透孔を形成する方法その他の方法がある。後者の方法としては、図３に示すように、金属、プラスチック又は木材から形成された中空管状体Ｍの中に蛇腹状の肉厚が同一又は不等の中空電材部品６を内挿する方法その他の方法がある。
【００１８】  このような構造のパフォーマンス遊動棒２を構成要素とするジャグリング遊具３を使用して、パフォーマンスを演技する演技者が、図１に示すように、１本のパフォーマンス演出棒１の先端部にパフォーマンス遊動棒２の一端部２ｂを載せて他端部２ａを回転させると、パフォーマンス遊動棒２の先端面Ｍａが矢印Ｙの向きに回転して円弧を描く。すると、図２に示すように、前記先端面Ｍａと円弧の向きＹとの間に所定の円弧角αが形成される。
【００１９】  このような現象を起こしながらパフォーマンス遊動棒２の他端部２ａが、流動していないパフォーマンス雰囲気の空気塊の中を高速度で回転してゆくのであるから、前記端面Ｍａの端面コーナー部７が前記空気塊を引っ掻き、パフォーマンス遊動棒２の先端に音が発生する。
【００２０】  さらに、本考案に係るパフォーマンス遊動棒２を構成する中空管状体Ｍの中に抵抗部５があるので、前記中空管体Ｍの中を流れる空気流の乱流により、音の振幅が作り出す波形が前記抵抗部５で跳ね返って、二つの波形を作り出し、それらが共鳴して、前記パフォーマンス遊動棒２の先端部２ａを比較的低速で回転させてもより大きな音を発生するものと思われる。
【００２１】  本考案は、その根本的技術思想を踏襲し、考案の効果を著しく損なわない限度において、前記の実施形態の一部分を変更して実施することができる。パフォーマンス演出棒１のストッパ機能を発揮する飾り房体４の固定部材４ａを別個にパフォーマンス遊動棒２に設けたり、飾り房体４の形状や取り付け向きを変更したりすることができる。
【産業上の利用可能性】
【００２２】  本考案は、ジャグリング遊具のパフォーマンス分野において、広く利用できる。
【符号の説明】
【００２３】１、１ａ、１ｂ：パフォーマンス演出棒
２：パフォーマンス遊動棒
３：ジャグリング遊具
４：飾り房体
５：抵抗部
６：端面コーナー部
α：円弧角
Ｙ：矢印
Ｌ：鎖線。
【図１】
0003199195.tif 000003
【図２】
0003199195.tif 000004
【図３】
0003199195.tif 000005
【図４】
0003199195.tif 000006
【図５】
0003199195.tif 000007
【図６】
0003199195.tif 000008
【手続補正書】
【提出日】平成27年5月11日(2015.5.11)
【手続補正１】
【補正対象書類名】実用新案登録請求の範囲
【補正対象項目名】請求項２
【補正方法】変更
【補正の内容】
【請求項２】
前記演技者が前記パフォーマンス遊動棒（２）を、パフォーマンス演出棒（１）を介して、回転させたとき、前記パフォーマンス遊動棒の一端面（Ｍａ）から前記中空管体（Ｍ）に流入する空気流の抵抗となる縮径された竹の中抜き節状又は蛇腹状の抵抗部（５）を、前記中空管体に設けたことを特徴とする請求項１記載のジャグリング遊具のパフォーマンス遊動棒。
【手続補正２】
【補正対象書類名】明細書
【補正対象項目名】００１０
【補正方法】変更
【補正の内容】
【００１０】          本考案では、さらにこのパフォーマンス効果を、パフォーマンス遊動棒の他端部を低速で回転させても確実に高揚させるために、前記演技者がパフォーマンス遊動棒を、パフォーマンス演出棒を介して、回転させたとき、前記パフォーマンス遊動棒の一端面からパフォーマンス遊動棒である中空管体に流入する空気流の抵抗となる縮径された竹の中抜き節状又は蛇腹状の抵抗部を前記中空管体に設けるという手段を採用する。その結果、前記中空管体内を流れる空気流に乱流が起こり、音の振幅波長が作り出す波形が前記抵抗部で跳ね返って二つの波形が共鳴し、パフォーマンス遊動棒の他端部を比較的低速に回転させても音が発生する。
【手続補正３】
【補正対象書類名】明細書
【補正対象項目名】００１２
【補正方法】変更
【補正の内容】
【００１２】
【図１】は、本考案に係るジャグリング遊具の全体斜視図である。
【図２】は、パフォーマンス遊動棒を要部拡大して示す分破断側面図である。
【図３】は、パフォーマンス遊動棒を構成する管状体の部分破断側面図である。
【図４】は、従来技術に係るジャグリング遊具を使用して、演技者がパフォーマンスを開始しようとする第一段階の工程図を示す。
【図５】は、同様に第二段階の工程図を示す。
【図６】は、同様に第三段階の工程図を示す。
【図７】は、本考案に係る抵抗部の他の実施態様を示す。
【手続補正４】
【補正対象書類名】明細書
【補正対象項目名】００１７
【補正方法】変更
【補正の内容】
【００１７】          前記中空管状体Ｍの中に抵抗部５を形成する方法として、中空管状体Ｍと一体的に形成する方法及び別体的に形成する方法のいずれの方法も採用できる。前者の方法としては、例えば、前記中空管状体Ｍを竹材から制作するとともに、図７に示すように、その内部に存在する竹の中抜き節状の部位を抵抗部５にし、その抵抗部５内に他の部分５ａより縮径された透孔８を形成する方法その他の方法がある。後者の方法としては、図３に示すように、金属、プラスチック又は木材から形成された中空管状体Ｍの中に蛇腹状の肉厚が同一又は不等の中空電材部品６を内挿することにより縮径された蛇腹状の部位を抵抗部５とする方法がある。
【手続補正５】
【補正対象書類名】図面
【補正対象項目名】図７
【補正方法】追加
【補正の内容】
【図７】
0003199195.tif 000009